(57)【要約】【課題】一つおきにボアを加工するに際して、加工しているボアの間に位置するボアの周辺に高い応力が発生したり、ワークの平行度が悪化したりすることを防止でき、加工しているボアの間に位置するボアの形状変形を抑制することができる、穴加工装置、及び、穴加工方法を提供する。【解決手段】本実施形態に係る穴加工装置１０においては、第二加工チップ３３は、第一加工チップ３１に対して同位相とならず、かつ、第一加工チップ３１に対して１８０度回転して対向する位相ともならないように、第二軸頭２３に配設される。具体的には、第二加工チップ３３は、第一加工チップ３１に対して平面視で第二軸頭２３の回転方向に４５度回転した位相となるように第二軸頭２３に配設される。【選択図】図２
2011051086.tif 000002
【特許請求の範囲】
【請求項１】
固定型と、
該固定型に対して近接離間可能に配設された可動型と、
前記可動型の前記固定型に対する近接離間方向に向けて配置した回転軸を中心に回転可能に、前記可動型に配設された第一の軸頭と、
前記第一の軸頭の回転軸と平行な方向に向けて配置した回転軸を中心に、前記第一の軸頭と同じ方向に回転可能に、前記第一の軸頭と隣接して前記可動型に配設された、前記第一の軸頭と略同形状の第二の軸頭と、
前記第一の軸頭及び前記第二の軸頭のそれぞれにおける側面の前記固定型側端部に配設された第一の加工チップ及び第二の加工チップと、を備え、
３個以上のボアが直列して開口されたワークを、前記ボアの開口面を前記可動型側に向けて前記固定型に配置した状態で、前記第一の軸頭及び第二の軸頭を回転させながら前記可動型を前記ワークに近接させ、前記ボアに対して前記第一の軸頭及び第二の軸頭を一つおきに同時に挿入することにより、前記第一の加工チップ及び第二の加工チップで前記ボアの内周側面を加工する、穴加工装置であって、
前記第二の加工チップは、前記第一の加工チップに対して同位相とならず、かつ、前記第一の加工チップに対して１８０度回転して対向する位相ともならないように、前記第二の軸頭に配設される、
ことを特徴とする、穴加工装置。
【請求項２】
前記第二の加工チップは、前記第一の加工チップに対して平面視で前記軸頭の回転方向に４５度回転した位相となるように、前記第二の軸頭に配設される、
ことを特徴とする、請求項１に記載の穴加工装置。
【請求項３】
前記第二の加工チップは、前記第一の加工チップに対して平面視で前記軸頭の回転方向と反対の方向に９０度回転した位相となるように、前記第二の軸頭に配設される、
ことを特徴とする、請求項１に記載の穴加工装置。
【請求項４】
回転可能に構成された第一の軸頭と、前記第一の軸頭と同じ方向に回転可能に、前記第一の軸頭と平行となるように隣接して構成された、前記第一の軸頭と略同形状の第二の軸頭とを、３個以上のボアが直列して開口されたワークにおける前記ボアに対して一つおきに同時に挿入して回転駆動することにより、前記第一の軸頭及び第二の軸頭のそれぞれにおける側面の前記固定型側端部に配設した第一の加工チップ及び第二の加工チップで前記ボアの内周側面を加工する、穴加工方法であって、
前記第二の加工チップを、前記第一の加工チップに対して同位相とならず、かつ、前記第一の加工チップに対して１８０度回転して対向する位相ともならないように、前記第二の軸頭に配設する、
ことを特徴とする、穴加工方法。
【請求項５】
前記第二の加工チップを、前記第一の加工チップに対して平面視で前記軸頭の回転方向に４５度回転した位相となるように、前記第二の軸頭に配設する、
ことを特徴とする、請求項４に記載の穴加工方法。
【請求項６】
前記第二の加工チップを、前記第一の加工チップに対して平面視で前記軸頭の回転方向と反対の方向に９０度回転した位相となるように、前記第二の軸頭に配設する、
ことを特徴とする、請求項４に記載の穴加工方法。
【発明の詳細な説明】
【技術分野】
【０００１】
本発明は、ボアを有するワークに対して穴を加工する技術に関する。
【背景技術】
【０００２】
従来、例えばシリンダブロックのように複数個の直列したボアを有するワークに対し、前記ボアの内周側面を加工して真円形状にするための穴加工装置が用いられている（例えば、特許文献１、特許文献２、及び、特許文献３参照）。
【０００３】
前記特許文献に記載の穴加工装置によれば、４個のボアを有する直列４気筒型シリンダブロックを、ボアを可動型に向けて固定型に配置した状態で、第一の軸頭及び第二の軸頭を回転させながら可動型をシリンダブロックに近接させるように構成されている。そして、前記４個のボアに対して第一の軸頭及び第二の軸頭を一つおきに同時に挿入することにより、第一の加工チップ及び第二の加工チップで前記ボアの内周側面を中ぐり加工するのである（図５参照）。
【０００４】
前記従来技術においては、例えば、第一ボアから第四ボアまでの内周側面を中ぐり加工する場合であれば、先に第二ボア及び第四ボアを同時に加工した後に、第一ボア及び第三ボアを同時に加工する。このように構成することにより、隣接する軸頭の間隔を確保し、加工しやすくしているのである。
【０００５】
前記特許文献１においては、第一の加工チップと第二の加工チップとが相対的に１８０度回転して対向する位相となるように配設された穴加工装置が記載されている。以下に、特許文献１に記載の従来技術の如く、第一の加工チップと第二の加工チップとを相対的に１８０度回転して対向する位相となるように配設した場合について、図５から図８を用いて説明する。図５は従来技術に係る穴加工装置の概略正面図、図６は従来技術に係る第一・第二軸頭とワークとの関係を示した平面図、図７は従来技術において第一・第三ボア加工時に第二ボアに加わる力を示した平面図、図８はそれぞれのボアにおける加工後の形状を示した平面図である。
なお、以下においては、説明の便宜上、図５における上側を上方、下側を下方とし、同じく図５における右側を右側方、左側を左側方として説明する。
【０００６】
図５に示す如く、従来技術における穴加工装置は、固定型と、該固定型の上方に配設された可動型とを備える。該可動型は、図示しない昇降機構により、固定型に対して上下方向（図５中の矢印Ａの方向）に近接離間可能に構成されるとともに、図示しないスライド機構により、前記固定型と等距離に左右方向にスライド可能に構成される。そして、該可動型には、下方に向けて配置した回転軸を中心に回転可能な第一軸頭と、同じく下方に向けて配置した回転軸を中心に回転可能な、第一軸頭と略同形状の第二軸頭と、が隣接して配設されている。さらに、第一軸頭及び第二軸頭のそれぞれには、側面の下端部に第一加工チップ及び第二加工チップが、図５及び図６に示す如く相対的に１８０度回転して対向する位相となるように配設されている。
【０００７】
そして、第一ボアから第四ボアまでの４個のボアが直列して開口されたワーク（シリンダブロック）を、前記ボアの開口面を前記可動型側である上方に向けて、前記固定型の治具に配置する。このような状態で、前記第一軸頭及び第二軸頭をそれぞれ図５中の矢印αの方向に回転させながら、前記可動型を下方に移動させて前記ワークに近接させる。そして、図６に示す如く、前記第一ボアに対して第一軸頭を、第三ボアに対して第二軸頭を同時に挿入することにより、第一加工チップで第一ボアの内周側面を、第二加工チップで第三ボアの内周側面を中ぐり加工するのである。なお、第二ボア及び第四ボアについては、前記の如く、既に第一軸頭及び第二軸頭により加工がなされているものとする。
【０００８】
上記の如く第一ボア及び第三ボアの内周面を加工する際においては、第一加工チップによって図７中の矢印に示す力Ｆ１が発生し、第二加工チップによって図７中の矢印に示す力Ｆ２が発生する。これにより、加工済みの第二ボアを同時に挟み込む力Ｆ１及び力Ｆ２によって、第二ボアの周辺に高い応力が発生するため、図７に示すように第二ボアの形状が崩れてしまうという問題があった。
【０００９】
それぞれのボアにおける詳細な形状について、図８を用いて説明する。図８（ａ）は従来技術に係る加工後の第一ボアの形状を示した平面図、図８（ｂ）は同じく第二ボアの形状を示した平面図、図８（ｃ）は同じく第三ボアの形状を示した平面図、図８（ｄ）は同じく第四ボアの形状を示した平面図である。
【００１０】
それぞれのボアの形状についての加工精度は、幾何学的に正しい円（幾何学的円）に対する半径方向の距離の差を真円度として比較する。即ち、幾何学的円からの距離の最大値と最小値との差が小さければ、ボアの形状は真円に近く、加工精度が良好であるとする。逆に、幾何学的円からの距離の最大値と最小値との差が大きければ大きいほど、ボアの形状は真円からの歪が大きく、加工精度が悪いということである。
【００１１】
図８は、それぞれ第一ボアから第四ボアの各点における幾何学的に正しい円（幾何学的円）に対する半径方向の距離を示している。前記の如く、図８（ｂ）に示す第二ボアの真円度ｒ２は、図８（ａ）に示す第一ボアの真円度ｒ１、及び、図８（ｃ）に示す第三ボアの真円度ｒ３と比較して大きく、加工精度が悪くなるのである。なお、図８（ｄ）に示す第四ボアの真円度ｒ４についても、第二加工チップから受ける力によって応力が発生するため、比較的大きくなっている。
【００１２】
即ち、前記特許文献１に記載の技術によれば上記の如く、第一ボア及び第三ボアの内周面を加工する際に生じる力によって、既に加工済みの第二ボアを同時に挟み込むような高い応力が発生することにより、図８（ｂ）に示すように第二ボアの真円度が悪化し、形状が崩れてしまうという問題があったのである。
【００１３】
一方、前記特許文献２及び特許文献３においては、第一の加工チップと第二の加工チップとが同位相となるように配設した穴加工装置が記載されている。前記特許文献２及び特許文献３の如く、第一の加工チップと第二の加工チップとが同位相となるように配設した場合は、第一の加工チップと第二の加工チップとによって、第一ボアと第三ボアに対して常に同じ方向に力が加わる。これにより、シリンダブロックが傾いて平行度が悪くなり、第二ボアの真円度が悪くなるという問題があった。
【先行技術文献】
【特許文献】
【００１４】
【特許文献１】実開昭６１−１４８５１１号公報
【特許文献２】特開平４−３０４９１３号公報
【特許文献３】実公平７−７０５０号公報
【発明の概要】
【発明が解決しようとする課題】
【００１５】
そこで本発明は上記現状に鑑み、一つおきにボアを加工するに際して、加工しているボアの間に位置するボアの形状変形を抑制することができる、穴加工装置、及び、穴加工方法を提供するものである。
【課題を解決するための手段】
【００１６】
本発明の解決しようとする課題は以上の如くであり、次にこの課題を解決するための手段を説明する。
【００１７】
即ち、請求項１においては、固定型と、該固定型に対して近接離間可能に配設された可動型と、前記可動型の前記固定型に対する近接離間方向に向けて配置した回転軸を中心に回転可能に、前記可動型に配設された第一の軸頭と、前記第一の軸頭の回転軸と平行な方向に向けて配置した回転軸を中心に、前記第一の軸頭と同じ方向に回転可能に、前記第一の軸頭と隣接して前記可動型に配設された、前記第一の軸頭と略同形状の第二の軸頭と、前記第一の軸頭及び前記第二の軸頭のそれぞれにおける側面の前記固定型側端部に配設された第一の加工チップ及び第二の加工チップと、を備え、３個以上のボアが直列して開口されたワークを、前記ボアの開口面を前記可動型側に向けて前記固定型に配置した状態で、前記第一の軸頭及び第二の軸頭を回転させながら前記可動型を前記ワークに近接させ、前記ボアに対して前記第一の軸頭及び第二の軸頭を一つおきに同時に挿入することにより、前記第一の加工チップ及び第二の加工チップで前記ボアの内周側面を加工する、穴加工装置であって、前記第二の加工チップは、前記第一の加工チップに対して同位相とならず、かつ、前記第一の加工チップに対して１８０度回転して対向する位相ともならないように、前記第二の軸頭に配設されるものである。
【００１８】
請求項２においては、前記第二の加工チップは、前記第一の加工チップに対して平面視で前記軸頭の回転方向に４５度回転した位相となるように、前記第二の軸頭に配設されるものである。
【００１９】
請求項３においては、前記第二の加工チップは、前記第一の加工チップに対して平面視で前記軸頭の回転方向と反対の方向に９０度回転した位相となるように、前記第二の軸頭に配設されるものである。
【００２０】
請求項４においては、回転可能に構成された第一の軸頭と、前記第一の軸頭と同じ方向に回転可能に、前記第一の軸頭と平行となるように隣接して構成された、前記第一の軸頭と略同形状の第二の軸頭とを、３個以上のボアが直列して開口されたワークにおける前記ボアに対して一つおきに同時に挿入して回転駆動することにより、前記第一の軸頭及び第二の軸頭のそれぞれにおける側面の前記固定型側端部に配設した第一の加工チップ及び第二の加工チップで前記ボアの内周側面を加工する、穴加工方法であって、前記第二の加工チップを、前記第一の加工チップに対して同位相とならず、かつ、前記第一の加工チップに対して１８０度回転して対向する位相ともならないように、前記第二の軸頭に配設するものである。
【００２１】
請求項５においては、前記第二の加工チップを、前記第一の加工チップに対して平面視で前記軸頭の回転方向に４５度回転した位相となるように、前記第二の軸頭に配設するものである。
【００２２】
請求項６においては、前記第二の加工チップを、前記第一の加工チップに対して平面視で前記軸頭の回転方向と反対の方向に９０度回転した位相となるように、前記第二の軸頭に配設するものである。
【発明の効果】
【００２３】
本発明の効果として、以下に示すような効果を奏する。
【００２４】
本発明により、一つおきにボアを加工するに際して、加工しているボアの間に位置するボアの周辺に高い応力が発生したり、ワークの平行度が悪化したりすることを防止でき、加工しているボアの間に位置するボアの形状変形を抑制することができる。
【図面の簡単な説明】
【００２５】
【図１】本発明の第一実施形態に係る穴加工装置の概略正面図。
【図２】（ａ）は第一実施形態に係る第一・第二加工チップの配置を示した平面図、（ｂ）は第二実施形態に係る第一・第二加工チップの配置を示した平面図、（ｃ）は第一の従来技術に係る第一・第二加工チップの配置を示した平面図、（ｄ）は第二の従来技術に係る第一・第二加工チップの配置を示した平面図。
【図３】第一・第二軸頭の位相差と第二ボアを変形させる力との関係を示した図。
【図４】（ａ）は第一実施形態に係る加工後の第二ボアの形状を示した平面図、（ｂ）は第二実施形態に係る加工後の第二ボアの形状を示した平面図、（ｃ）は第一の従来技術に係る加工後の第二ボアの形状を示した平面図、（ｄ）は第二の従来技術に係る加工後の第二ボアの形状を示した平面図。
【図５】第一の従来技術に係る穴加工装置の概略正面図。
【図６】第一の従来技術に係る第一・第二軸頭とワークとの関係を示した平面図。
【図７】第一の従来技術において第一・第三ボア加工時に第二ボアに加わる力を示した平面図。
【図８】（ａ）は第一の従来技術に係る加工後の第一ボアの形状を示した平面図、（ｂ）は同じく第二ボアの形状を示した平面図、（ｃ）は同じく第三ボアの形状を示した平面図、（ｄ）は同じく第四ボアの形状を示した平面図。
【発明を実施するための形態】
【００２６】
次に、発明の実施の形態を説明する。
なお、本発明の技術的範囲は以下の実施例に限定されるものではなく、本明細書及び図面に記載した事項から明らかになる本発明が真に意図する技術的思想の範囲全体に、広く及ぶものである。
【００２７】
［第一実施形態］
本発明の第一実施形態に係る穴加工装置１０について、図１から図４を用いて説明する。なお、本明細書においては、説明の便宜上、図１における上側を上方、下側を下方とし、同じく図１における右側を右側方、左側を左側方として説明する。
本実施形態に係る穴加工装置１０は、前記従来技術に係る穴加工装置と比較して、加工チップの配置形態を除いてほぼ同じように構成されている。
【００２８】
即ち、本実施形態に係る穴加工装置１０は図１に示す如く、固定型１１と、該固定型１１の上方に配設された可動型１２とを備える。該可動型１２は、図示しない昇降機構により上下方向（図１中の矢印Ａの方向）に移動して、固定型１１に対して近接離間可能に構成されるとともに、図示しないスライド機構により、前記固定型１１と等距離を維持した状態で、前記近接離間方向と直交する方向（左右方向）へスライド可能に構成される。そして、該可動型１２には、下方に向けて配置した回転軸を中心に回転可能な第一軸頭２１と、同じく下方に向けて配置した回転軸を中心に回転可能な、第一軸頭２１と略同形状の第二軸頭２３と、が隣接して配設されている。さらに、第一軸頭２１及び第二軸頭２３のそれぞれには、側面の下端部に第一加工チップ３１及び第二加工チップ３３が配設されている。なお、本実施形態においては、可動型１２を固定型１１に対してスライドする構成としたが、固定型１１を可動型１２に対してスライドする構成とすることも可能である。
【００２９】
そして、複数のボアが直列して開口されたワークＷを、前記ボアの開口面を前記可動型１２の側である上方に向けて、前記固定型１１の治具１５に配置する。本実施形態においては、ワークＷとして第一ボアＢ１、第二ボアＢ２、第三ボアＢ３、及び、第四ボアＢ４の４個のボアが直列して開口された、直列４気筒型エンジンに用いられるシリンダブロックが配置される。なお、本発明は３個以上のボアが直列して開口されたワークであれば適用することが可能であり、ワークにおけるボアの個数及び配置形態は本実施形態に限定されるものではない。例えば、直列３気筒型エンジンに用いられるシリンダブロックを初めとして、直列５気筒型、直列６気筒型、Ｖ型６気筒型、Ｖ型８気筒型等の各種エンジンに用いられるシリンダブロックに適用することも可能である。
【００３０】
上記のような状態で、前記第一軸頭２１及び第二軸頭２３をそれぞれ図１中の矢印αの方向に回転させながら、前記可動型１２を下方に移動させて前記ワークＷに近接させる。そして、従来技術の場合と同様に、前記第一ボアＢ１に対して第一軸頭２１を、第三ボアＢ３に対して第二軸頭２３を、回転駆動した状態で同時に挿入することにより、第一加工チップ３１で第一ボアＢ１の内周側面を、第二加工チップ３３で第三ボアＢ３の内周側面を中ぐり加工するのである。なお、第二ボアＢ２及び第四ボアＢ４については、第一ボアＢ１及び第三ボアＢ３に先立って、既に第一軸頭２１及び第二軸頭２３により加工がなされている。また、本実施形態においては第一軸頭２１及び第二軸頭２３には第一加工チップ３１及び第二加工チップ３３のみが配設される構成としているが、第一軸頭２１及び第二軸頭２３のそれぞれに先行刃や中仕上げチップ等の他のチップを配設する構成にすることも可能である。
【００３１】
そして、本実施形態に係る穴加工装置１０においては、第二加工チップ３３は、第一加工チップ３１に対して同位相とならず、かつ、第一加工チップ３１に対して１８０度回転して対向する位相ともならないように、第二軸頭２３に配設されている。
具体的には図１及び図２（ａ）に示す如く、第二加工チップ３３は、第一加工チップ３１に対して平面視で第二軸頭２３の回転方向（図２の平面視においては時計周りの方向）に４５度回転した（４５度進んだ）位相となるように第二軸頭２３に配設されているのである。換言すれば、第一加工チップ３１と第二加工チップ３３とは、図２（ｃ）に示すような、互いに１８０度回転して対向する位相となる形態（以下、第一従来技術とする）や、図２（ｄ）に示すような、互いに同位相（０度）となる形態（以下、第二従来技術とする）とならないように配設されているのである。
【００３２】
本実施形態においては上記の如く構成することにより、第一ボアＢ１及び第三ボアＢ３の内周面を加工する際に、第一加工チップ３１が第二ボアＢ２に力を加えるタイミングと、第二加工チップ３３が第二ボアＢ２に力を加えるタイミングとをずらすことができる。即ち、第二ボアＢ２を同時に挟み込むような高い応力が発生せず、また、第一ボアＢ１と第三ボアＢ３に対する力が常に異なる方向に加わるため、第二ボアＢ２が変形して形状が崩れてしまうことを防ぐことができるのである。換言すれば、一つおきに二つのボアを加工するに際して、加工しているボアの間に位置するボアの周辺に高い応力が発生したり、ワークの平行度が悪化したりすることを防止でき、加工しているボアの間に位置するボアの形状変形を抑制することが可能となるのである。
【００３３】
第一加工チップ３１及び第二加工チップ３３が第二ボアＢ２を変形させる力について、図３を用いて説明する。図３は第一従来技術において第一加工チップ３１及び第二加工チップ３３が第二ボアＢ２を変形させる力の最大値を１とした場合に対して、本実施形態において第一加工チップ３１及び第二加工チップ３３が第二ボアＢ２を変形させる力の第一軸頭２１の位相に対する推移を、圧縮方向を正の値、引張方向を負の値として示した図である。
なお、図３においては、第一加工チップ３１が図２における上側に位置する状態（第二ボアＢ２に対して９０度の位置関係にある状態）を第一軸頭２１の位相０度とし、第一軸頭２１が平面視で時計周りに回転する角度を第一軸頭２１の位相として記載している。つまり、図３における第一軸頭２１の位相が９０度の状態は、第一加工チップ３１が第二ボアＢ２に最も近づいた状態を示している。
【００３４】
図３に示す如く、本実施形態においては、第一軸頭２１が１回転する間（第一軸頭２１の位相が０度から３６０度の間）において、第二ボアＢ２を変形させる力は、第一従来技術における最大値よりも小さくすることができた。即ち、本実施形態によれば、第二ボアＢ２を同時に挟み込むような高い応力が発生せず、また、第一ボアＢ１と第三ボアＢ３に対する力が常に異なる方向に加わるため、第一従来技術のような第二ボアＢ２の形状変形を抑制することができるのである。
【００３５】
本実施形態と従来技術との第二ボアＢ２の形状変形の違いについて、図４を用いて説明する。図４（ａ）は本実施形態に係る加工後の第二ボアＢ２の形状を示した平面図である。図４（ｃ）は第一従来技術に係る加工後の第二ボアＢ２の形状を示した平面図である。図４は、それぞれ第二ボアＢ２の各点における幾何学的に正しい円（幾何学的円）に対する半径方向の距離を示している。
【００３６】
図４（ａ）に示す如く、本実施形態における第二ボアＢ２の真円度Ｒ１は、図４（ｃ）に示す第一従来技術における第二ボアＢ２の真円度Ｒ３よりも小さくすることができ、加工精度を向上させることができた。即ち、本実施形態によれば、第二ボアＢ２を同時に挟み込むような高い応力が発生せず、また、第一ボアＢ１と第三ボアＢ３に対する力が常に異なる方向に加わるため、第一従来技術のような第二ボアＢ２の形状変形を抑制することができたのである。
また、図４（ｄ）は第二従来技術に係る加工後の第二ボアＢ２の形状を示す。本実施形態における第二ボアＢ２の真円度Ｒ１は、図４（ｄ）に示す第二従来技術における第二ボアＢ２の真円度Ｒ４よりも小さくすることができたのである。
【００３７】
［第二実施形態］
次に、本発明の第二実施形態に係る穴加工装置について、図２から図４を用いて説明する。
本実施形態に係る穴加工装置は、前記第一実施形態に係る穴加工装置と比較して、加工チップの配置形態を除いてほぼ同じように構成されているため、前記第一実施形態と共通する部分については、同符号を付して詳細な説明を省略する。
【００３８】
本実施形態に係る穴加工装置において第二加工チップ３３は、図２（ｂ）に示す如く、第一加工チップ３１に対して平面視で第二軸頭２３の回転方向と反対の方向（図２における反時計周りの方向）に９０度回転した（９０度遅れた）位相となるように第二軸頭２３に配設されているのである。
【００３９】
本実施形態においても上記の如く構成することにより、第一ボアＢ１及び第三ボアＢ３の内周面を加工する際に、第一加工チップ３１が第二ボアＢ２に力を加えるタイミングと、第二加工チップ３３が第二ボアＢ２に力を加えるタイミングとをずらすことができる。即ち、第二ボアＢ２を同時に挟み込むような高い応力が発生せず、また、第一ボアＢ１と第三ボアＢ３に対する力が常に異なる方向に加わるため、第二ボアＢ２の形状が崩れてしまうことを防ぐことが可能となるのである。
【００４０】
即ち、図３に示す如く、本実施形態においても、第一軸頭２１が１回転する間（第一軸頭２１の位相が０度から３６０度の間）において、第二ボアＢ２を変形させる力は、第一従来技術における最大値よりも小さくすることができた。即ち、本実施形態によっても、第二ボアＢ２を同時に挟み込むような高い応力が発生せず、また、第一ボアＢ１と第三ボアＢ３に対する力が常に異なる方向に加わるため、第一従来技術のような第二ボアＢ２の形状変形を抑制することができるのである。
【００４１】
また、図４（ｂ）に示す如く、本実施形態における第二ボアＢ２の真円度Ｒ２は、図４（ｃ）に示す第一従来技術における第二ボアＢ２の真円度Ｒ３よりも小さくすることができ、加工精度を向上させることができた。即ち、本実施形態によっても、第二ボアＢ２を同時に挟み込むような高い応力が発生せず、また、第一ボアＢ１と第三ボアＢ３に対する力が常に異なる方向に加わるため、第一従来技術のような第二ボアＢ２の形状変形を抑制することができたのである。
【００４２】
上記の如く、本発明に係る穴加工方法においては、回転可能に構成された第一軸頭２１と、前記第一軸頭２１と同じ方向に回転可能に、前記第一軸頭２１と平行となるように隣接して構成された、前記第一軸頭２１と略同形状の第二軸頭２３とを、３個以上のボアが直列して開口されたワークＷにおける前記ボアに対して一つおきに同時に挿入して回転駆動することにより、前記第一軸頭２１及び第二軸頭２３のそれぞれにおける側面の前記固定型側端部に配設した第一加工チップ３１及び第二加工チップ３３で前記ボアの内周側面を加工する。そして、前記第二加工チップ３３を、前記第一加工チップ３１に対して同位相とならず、かつ、前記第一加工チップ３１に対して１８０度回転して対向する位相ともならないように、前記第二軸頭２３に配設するのである。
【００４３】
また、第一実施形態に係る穴加工方法によれば、第二加工チップ３３を、第一加工チップ３１に対して平面視で第二軸頭２３の回転方向に４５度回転した位相となるように、第二軸頭２３に配設するものである。
【００４４】
さらに、第二実施形態に係る穴加工方法によれば、第二加工チップ３３を、第一加工チップ３１に対して平面視で第二軸頭２３の回転方向と反対の方向に９０度回転した位相となるように、第二軸頭２３に配設するものである。
【００４５】
上記の如く構成することにより、一つおきにボアを加工するに際して、加工しているボアの間に位置するボアの周辺に高い応力が発生したり、ワークの平行度が悪化したりすることを防止でき、加工しているボアの間に位置するボアの形状変形を抑制することができる。換言すれば、加工しているボアの間に位置するボアを同時に挟み込むような高い応力が発生しないため、前記間のボアの形状が崩れてしまうことを防ぐことが可能となるのである。
【符号の説明】
【００４６】
１０    穴加工装置
１１    固定型
１２    可動型
２１    第一軸頭
２３    第二軸頭
３１    第一加工チップ
３３    第二加工チップ
Ｗ    ワーク（シリンダブロック）
Ｂ    ボア
【図１】
2011051086.tif 000003
【図２】
2011051086.tif 000004
【図３】
2011051086.tif 000005
【図４】
2011051086.tif 000006
【図５】
2011051086.tif 000007
【図６】
2011051086.tif 000008
【図７】
2011051086.tif 000009
【図８】
2011051086.tif 000010